(57)【要約】      （修正有）【課題】簡単な入力操作でタイムゾーンを手動設定させることが可能な電子時計を提供する。【解決手段】電子時計１０は、リュウズ５０と、タイムゾーン表示４６と、衛星信号から算出された現在地の位置情報に基づいて現在地のタイムゾーンが自動設定される機能と、タイムゾーン表示４６から選択された任意のタイムゾーンが手動設定される機能と、を備え、任意のタイムゾーンは、リュウズ５０の操作で選択される。【選択図】図５
2015169500.tif 000002
【特許請求の範囲】
【請求項１】
リュウズと、
タイムゾーン表示と、
衛星信号から算出された現在地の位置情報に基づいて現在地のタイムゾーンが自動設定される機能と、
前記タイムゾーン表示から選択された任意のタイムゾーンが手動設定される機能と、を備え、
前記任意のタイムゾーンは、前記リュウズの操作で選択されることを特徴とする電子時計。
【請求項２】
前記リュウズは、複数段の操作位置を備え、
前記任意のタイムゾーンは、前記リュウズが一段引かれた前記操作位置で選択されることを特徴とする請求項１に記載の電子時計。
【請求項３】
前記リュウズは、複数段の操作位置を備え、
前記任意のタイムゾーンは、前記リュウズが二段引かれた前記操作位置で選択されることを特徴とする請求項１に記載の電子時計。
【請求項４】
前記リュウズは、回動操作を備え、
前記任意のタイムゾーンは、前記リュウズの前記回動操作で選択されることを特徴とする請求項１から３のいずれか一項に記載の電子時計。
【請求項５】
前記リュウズは、ボタン操作を備え、
前記任意のタイムゾーンは、前記リュウズの前記ボタン操作で選択されることを特徴とする請求項１に記載の電子時計。
【発明の詳細な説明】
【技術分野】
【０００１】
本発明は、電子時計に関する。
【背景技術】
【０００２】
従来、衛星信号を受信して現在地の現地時刻を表示するワールドタイム機能を備えた電子時計が知られていた。例えば、特許文献１には、地図が表示された文字板と、複数の指針とを備え、現在地のタイムゾーンと現地時刻とを表示する腕時計が開示されている。また、非特許文献１には、文字板の外周部に、協定世界時（ＵＴＣ：Coordinated Universal Time）との時差で表されたタイムゾーン表示を備え、現在地のタイムゾーンと現地時刻とを表示する腕時計が開示されている。これらの腕時計は、ＧＰＳ（Global Positioning System：全地球測位システム）などの航法衛星から衛星信号を受信する受信部を備え、４個の航法衛星からの信号を受信して現在地の位置情報と時刻情報とを求めて、タイムゾーンと時刻とを自動修正している。
【先行技術文献】
【特許文献】
【０００３】
【特許文献１】特開２００９−１７５０４４号公報
【非特許文献】
【０００４】
【非特許文献１】「グッズプレス  ＪＵＬＹ  ２０１３」株式会社徳間書店、平成２５年７月１０日、７５−８１頁
【発明の概要】
【発明が解決しようとする課題】
【０００５】
衛星信号を受信できない状態や受信しにくい環境において、現在地のタイムゾーンが自動設定されない場合や、使用者が予め移動先の現地時刻に時刻修正したい場合は、タイムゾーンを手動設定する必要がある。しかしながら、これらの電子時計は、多くの機能を備えているためタイムゾーンの手動設定には複数の入力装置を使用する必要があった。このため、タイムゾーンを手動設定させるための入力操作が難しいという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子時計は、リュウズと、タイムゾーン表示と、衛星信号から算出された現在地の位置情報に基づいて現在地のタイムゾーンが自動設定される機能と、前記タイムゾーン表示から選択された任意のタイムゾーンが手動設定される機能と、を備え、前記任意のタイムゾーンは、前記リュウズの操作で選択されることを特徴とする。
【０００８】
本適用例によれば、電子時計は、表示された時刻のタイムゾーンが示されるタイムゾーン表示を備えている。電子時計は、衛星信号を受信して現在地の位置情報と時刻情報とを算出し、現在地のタイムゾーンを自動設定して現地時刻を表示する機能と、タイムゾーン表示から選択された任意のタイムゾーンを手動設定して、設定されたタイムゾーンの現地時刻を表示する機能と、を備えている。手動設定させる任意のタイムゾーンは、電子時計に備えられているリュウズの入力操作で、タイムゾーン表示から選択される。これにより、本適用例の電子時計は、一つの入力装置（リュウズ）でタイムゾーンを手動設定させることができるようになる。したがって、簡単な入力操作でタイムゾーンを手動設定させることが可能な電子時計を提供することができる。
【０００９】
［適用例２］上記適用例に記載の電子時計において、前記リュウズは、複数段の操作位置を備え、前記任意のタイムゾーンは、前記リュウズが一段引かれた前記操作位置で選択されることが好ましい。
【００１０】
本適用例によれば、電子時計には、複数段の操作位置を備えたリュウズが設けられている。例えば、リュウズが電子時計の本体に押し込まれた位置（定位置）を０段とすると、一般的に、リュウズには、リュウズが一段引き出された一段目と、リュウズが二段引き出された二段目と、の操作位置が備えられている。任意のタイムゾーンは、リュウズを一段目の操作位置に固定した時のリュウズの操作によりタイムゾーン表示から選択されるので、簡単な入力操作でタイムゾーンを手動設定させることができる。したがって、簡単で分かり易い入力操作でタイムゾーンを手動設定させることが可能な電子時計を提供することができる。
【００１１】
［適用例３］上記適用例に記載の電子時計において、前記リュウズは、複数段の操作位置を備え、前記任意のタイムゾーンは、前記リュウズが二段引かれた前記操作位置で選択されることが好ましい。
【００１２】
本適用例によれば、任意のタイムゾーンは、リュウズを二段目の操作位置に固定した時のリュウズの操作によりタイムゾーン表示から選択される。二段目の操作位置は、リュウズを最大に引き出した位置であるため、タイムゾーンを手動設定させる入力操作が分かり易くなる。したがって、簡単で分かり易い入力操作でタイムゾーンを手動設定させることが可能な電子時計を提供することができる。
【００１３】
［適用例４］上記適用例に記載の電子時計において、前記リュウズは、回動操作を備え、前記任意のタイムゾーンは、前記リュウズの前記回動操作で選択されることが好ましい。
【００１４】
本適用例によれば、リュウズには、リュウズを回動させて入力操作を行うための回動操作が備えられている。タイムゾーン表示に示されるタイムゾーンは、リュウズの回動操作に応じて切り替えられる。任意のタイムゾーンは、タイムゾーン表示に示されているタイムゾーンがリュウズの回動操作の停止により選択されるので、簡単な入力操作でタイムゾーンを手動設定させることができる。したがって、簡単で分かり易い入力操作でタイムゾーンを手動設定させることが可能な電子時計を提供することができる。
【００１５】
［適用例５］上記適用例に記載の電子時計において、前記リュウズは、ボタン操作を備え、前記任意のタイムゾーンは、前記リュウズの前記ボタン操作で選択されることが好ましい。
【００１６】
本適用例によれば、リュウズには、リュウズを押して入力操作を行うためのボタン操作が備えられている。タイムゾーン表示に示されるタイムゾーンは、リュウズのボタン操作に応じて切り替えられる。任意のタイムゾーンは、タイムゾーン表示に示されているタイムゾーンがリュウズのボタン操作に応じて選択されるで、簡単な入力操作でタイムゾーンを手動設定させることができる。したがって、簡単で分かり易い入力操作でタイムゾーンを手動設定させることが可能な電子時計を提供することができる。
【図面の簡単な説明】
【００１７】
【図１】実施形態に係る電子時計を含むＧＰＳの全体図。
【図２】電子時計の全体を示す斜視図。
【図３】電子時計の全体を示す６面図。
【図４】電子時計の概略を示す部分断面図。
【図５】電子時計の外観を示す概略平面図。
【図６】電子時計の電気制御ブロック図。
【図７】電子時計の手動設定の動作を示すフローチャート図。
【図８】変形例に係る電子時計の外観を示す概略平面図。
【図９】電子時計の手動設定の動作を示すフローチャート図。
【発明を実施するための形態】
【００１８】
以下、本発明の実施形態について、図面を参照して説明する。なお、以下の各図においては、各層や各部材を認識可能な程度の大きさにするため、各層や各部材の尺度を実際とは異ならせている。
【００１９】
（実施形態）
本実施形態の電子時計は、ワールドタイム機能と、クロノグラフ機能と、を備えている。ワールドタイム機能とは、例えば、ＧＰＳなどの航法衛星（ＧＰＳ衛星）から送信されている衛星信号を受信して現在地の位置情報と時刻情報とを算出して現地時刻を表示するものである。クロノグラフ機能とは、時間を積算表示する所謂ストップウォッチ（ストップウオッチ）機能を備えているものである。
図１は、実施形態に係る電子時計を含むＧＰＳの全体図である。まず、電子時計１０が、ＧＰＳ衛星８から送信される衛星信号を用いて、現在地の位置情報と、時刻情報とを求めるＧＰＳの概要を説明する。
【００２０】
電子時計１０は、ＧＰＳ衛星８からの電波（衛星信号）を受信して内部時刻を修正する腕時計であり、腕と接触する側の面（以下、裏面という）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２１】
現在、地球の上空には約３１個のＧＰＳ衛星８（図１においては、４個のみを図示）が周回しており、衛星信号がどのＧＰＳ衛星８から送信されたかを識別するために、各ＧＰＳ衛星８はＣ／Ａコード（Coarse／Acquisition Code）と呼ばれる１０２３チップ（１ｍｓ周期）の固有のパターンを衛星信号に重畳する。Ｃ／Ａコードは、各チップが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２２】
ＧＰＳ衛星８は原子時計を搭載しており、衛星信号には原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００２３】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。
すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２４】
次に、電子時計１０の概略構成について説明する。
以下の説明において、「ｎ時方向」（ｎは任意の自然数）とあるが、これはダイヤルリング４０に表示されている「ＵＴＣ」を１２時として外周を１２時間で表した時に、文字板１１の中央から外周をみた方向である。
図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である。図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２５】
図２および図３に示すように、電子時計１０は、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング４０を介して、円盤状の文字板１１が設けられ、文字板１１には指針２１，２２，２３が備えられている。
【００２６】
文字板１１には、指針７１を備えた第１小時計７０と、指針８１を備えた第２小時計８０と、指針９１を備えた第３小時計９０およびカレンダー表示１５が設けられている。
第１小時計７０は文字板１１の中心より２時方向に設けられている。第２小時計８０は文字板１１の中心より１０時方向に設けられている。第３小時計９０は文字板１１の中心より６時方向に設けられている。カレンダー表示１５は文字板１１の中心より４時方向に設けられている。
文字板１１、指針２１，２２，２３、第１小時計７０、第２小時計８０、第３小時計９０およびカレンダー表示１５などは、カバーガラス３３を透して、視認可能となっている。
【００２７】
外装ケース３０の側面には、文字板１１の中心より、８時方向の位置にＡボタン６１と、１０時方向の位置にＢボタン６２と、２時方向の位置にＣボタン６３と、４時方向の位置にＤボタン６４と、が設けられている。これらのＡボタン６１、Ｂボタン６２、Ｃボタン６３、Ｄボタン６４が操作されることにより、操作（ボタン操作）に応じた入力信号が出力される。
【００２８】
外装ケース３０の側面には、文字板１１の中心より、３時方向の位置にリュウズ５０が設けられている。図２および図３に示されているリュウズ５０は、電子時計１０の外装ケース３０に押し込まれた定位置の状態（０段目５０ａ（図５参照）の位置）を表している。リュウズ５０には、リュウズ５０が一段引き出された一段目５０ｂ（図５参照）と、リュウズ５０が二段引き出された二段目５０ｃ（図５参照）と、の操作位置が備えられている。また、リュウズ５０には、リュウズ５０を回動させて入力操作を行うための回動操作が備えられている。リュウズ５０が操作されることにより、リュウズ５０の操作位置と回動操作とに応じた入力信号が出力される。
【００２９】
図４に示すように、電子時計１０は、金属製の外装ケース３０の表裏に設けられた二つの開口のうち、文字板１１が装着された表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視で文字板１１の中心を通り、表裏方向に延在する中心軸に沿って設けられている。
【００３０】
ダイヤルリング４０は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ体１１０が収納されている。
【００３１】
このアンテナ体１１０は、リング形状の誘電体を基材として、これに金属のアンテナパターンをメッキや銀ペースト印刷などにより形成したものである。このアンテナ体１１０は、文字板１１の外周に配置されており、ベゼル３２の内周面側に配置され、さらにプラスチックで形成されたダイヤルリング４０、およびカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３２】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３３】
文字板１１と、駆動機構１４０などが取り付けられている地板１２５との間には、光発電を行うソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も備えている。文字板１１、ソーラーパネル１３５および地板１２５には、指針軸２５と、第１小時計７０の指針７１、第２小時計８０の指針８１および第３小時計９０の指針９１の指針軸（図示せず）とが貫通する穴が形成されているとともに、カレンダー表示１５の開口部が形成されている。
【００３４】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小時計７０の指針７１、第２小時計８０の指針８１および第３小時計９０の指針９１も同様の駆動機構（図示せず）を有し、各指針７１，８１，９１が駆動する。
【００３５】
回路基板１２０は、バラン１２１、受信部（ＧＰＳモジュール）１２２、制御部１５０およびリチウムイオン電池などの二次電池１３０を備えている。二次電池１３０は、ソーラーパネル１３５が発電した電力で充電され、その電力を蓄積する。これにより、電子時計１０を連続して駆動させることができる。また、この回路基板１２０とアンテナ体１１０とは、アンテナ接続ピン１１５を用い接続されている。バラン１２１は、平衡−不平衡の変換素子であり、平衡給電で作動するアンテナ体１１０からの平衡信号を、受信部１２２で扱うことができる不平衡信号に変換する。
【００３６】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されている。そして、アンテナ接続ピン１１５は地板１２５に開口された挿通孔を貫通されて収納空間内へ挿通されている。これにより、回路基板１２０と、収納空間内部のアンテナ体１１０とが、アンテナ接続ピン１１５で接続されている。
【００３７】
なお、本実施形態では、電子時計１０はソーラーパネル１３５による発電と二次電池１３０とを駆動源とするものと説明したが、一次電池方式や、他の充電方式を用いてもよい。一次電池方式を駆動源とすることで外装ケース３０内の機構を簡単にすることが可能となる。また、電磁誘導などの充電方式で蓄電する二次電池を駆動源とすることで光発電を行うには十分な光照射がない場所や電池交換が難しい場所においても、本発明の電子時計を利用することができる。
【００３８】
次に、電子時計１０の表示機能について説明する。図５は、電子時計の外観を示す概略平面図である。
本実施形態の電子時計１０は、文字板１１に、ワールドタイム機能で求められた現地時刻（内部時刻）を表示する時刻表示と、クロノグラフ機能で積算された時間が表示される積算表示とを備えている。
時刻表示とは、「時」を表す時刻時表示と、「分」を表す時刻分表示と、「秒」を表す時刻秒表示との総称である。
積算表示とは、「時」を表す積算時表示と、「分」を表す積算分表示と、「秒」を表す積算秒表示との総称である。
【００３９】
まず、文字板１１の表示機能について説明する。図５に示すように、文字板１１は、外周を６０分割にする目盛が表記された時刻分表示２４、および外周を１２分割にする目盛（バーインデックス）が表記された時刻時表示を備えている。指針２２は、時刻分表示２４を用いてワールドタイム機能で求められた現地時刻（内部時刻）の「分」を指し示す。また、指針２３は、時刻時表示を用いてワールドタイム機能で求められた現地時刻（内部時刻）の「時」を指し示す。
文字板１１の最外周は、時刻分表示２４の目盛をさらに５分割にする１／５目盛が表記された積算秒表示を備えている。指針２１は、積算秒表示を用いてクロノグラフ機能で積算された時間の「秒」を指し示す。
【００４０】
次に、第１小時計７０の表示機能について説明する。第１小時計７０は、第１小時計７０の外周を６０分割にする目盛と、１０から６０までの１０刻みの数字とが表記された積算分表示７２を備えている。指針７１は、積算分表示７２を用いてクロノグラフ機能で積算された時間の「分」を指し示す。
【００４１】
次に、第２小時計８０の表示機能について説明する。第２小時計８０は、衛星信号を受信可能な衛星の数が示される衛星捕捉数表示８２、衛星信号の受信結果表示８３、現地時刻（内部時計）の秒が示される時刻秒表示８４を備えている。
【００４２】
衛星捕捉数表示８２は、第２小時計８０の外周に設けられている。衛星捕捉数表示８２には、外周を１２分割にする目盛と、「０」から「１１」までの数字とが表記されている。使用者がＢボタン６２を操作して、電子時計１０に衛星信号を手動受信させた時、指針８１は、衛星信号を受信可能なＧＰＳ衛星８の数を表す衛星捕捉数を「０」から「１１」までのいずれかの数字で指し示す。これにより、衛星捕捉数が表示される。
【００４３】
時刻秒表示８４は、第２小時計８０の外周に設けられている。時刻秒表示８４には、外周を６０分割にする目盛が表記されている。指針８１は、時刻秒表示８４を用いて現地時刻（内部時刻）の「秒」を指し示す。
【００４４】
受信結果表示８３は、第２小時計８０の内周に設けられている。受信結果表示８３には、時刻秒表示８４において、４５秒から６０秒までの範囲に英字の「Ｙ」表記８３ａと、３０秒から４５秒までの範囲に英字の「Ｎ」表記８３ｂとが表記されている。「Ｙ」表記８３ａと、「Ｎ」表記８３ｂとは、１５秒と４５秒とを結ぶ直線に対して線対称、かつ第２小時計８０の外周を１２分割にする目盛（長い目盛）と重ならない位置に設けられている。これにより、第２小時計８０の外周を１２分割にする目盛と、６０分割する目盛と、受信結果表示８３とを面積の狭い第２小時計８０の中に、判読性を確保しながらバランスよくレイアウトすることができる。「Ｙ」表記８３ａと、「Ｎ」表記８３ｂとの英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。
【００４５】
使用者がＢボタン６２を操作することにより、指針８１が「Ｙ」表記８３ａまたは「Ｎ」表記８３ｂのいずれか一方を指し示し、衛星信号の受信結果を表示する。また、使用者がＡボタン６１とＢボタン６２とを操作して、指針８１を「Ｙ」表記８３ａまたは「Ｎ」表記８３ｂに合わせることで、衛星信号の自動受信のＯＮ／ＯＦＦを設定することができる。
なお、本実施形態では、５２秒の位置に「Ｙ」表記８３ａが、３８秒の位置に「Ｎ」表記８３ｂが、設けられているが、これに限定されるものではない。「Ｙ」表記８３ａと「Ｎ」表記８３ｂとの表記は、受信結果表示８３を含む小時計が設けられる位置に応じて、視認しやすい位置に設けることが好ましい。
【００４６】
次に、第３小時計９０の表示機能について説明する。第３小時計９０の外周には、クロノグラフ機能に関する積算表示（積算時表示９２）と、ワールドタイム機能に関するサマータイム表示９３と、充電量表示９４と、衛星信号の受信禁止表示９５と、衛星信号の受信モード表示９６と、が組み合わされて表示されるように設けられている。
以下の外周の範囲の説明において、「ｎ時方向」（ｎは任意の自然数）とあるが、これは第３小時計９０に表示されている「０」を１２時として外周を１２時間で表した時に、円形の中央から外周をみた方向である。また、「ｎ時方向からｍ時方向までの範囲」（ｎ、ｍは任意の自然数）とあるが、これは第３小時計９０の中心を右回りで表した範囲である。
【００４７】
積算時表示９２は、第３小時計９０の外周において、１２時方向から６時方向までの範囲に設けられている。積算時表示９２には、この範囲を６分割にする目盛と、「０」から「５」までの数字とが表記されている。指針９１は、積算時表示９２を用いて、クロノグラフ機能で積算された時間の「時」を指し示す。
【００４８】
サマータイム表示９３は、第３小時計９０の外周において、６時方向から７時方向までの範囲に設けられている。サマータイム表示９３には、「ＤＳＴ」の英字と「○」の記号とが表記されている。ＤＳＴ（daylight saving time）は夏時間を意味しており、これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００４９】
充電量表示９４は、第３小時計９０の外周において、７時方向から９時方向までの範囲に設けられている。充電量表示９４には、外周の円周に沿って、９時方向の基端が太く、７時方向の先端が細い三日月鎌状の記号で、二次電池１３０（図４参照）のパワーインジケーターが表記されている。指針９１は、電池の残量に応じて、基端、中間、先端のいずれかを指し示す。
また、充電量表示９４は、受信許可表示を兼用している。使用者はＡボタン６１を操作し、指針９１が示す先を、後述する受信禁止表示９５から充電量表示９４に移動させることで、電子時計１０に衛星信号を受信させることができる。なお、本実施形態では、受信許可表示は充電量表示９４と兼用されるものとして説明したが、受信許可表示と充電量表示９４とが各々に設けられていてもよい。
【００５０】
受信禁止表示９５は、第３小時計９０の外周において、９時方向から１０時方向までの範囲に設けられている。受信禁止表示９５には、飛行機形状の記号が表記されており、衛星信号の受信禁止設定を表す。航空機の離着陸時は、航空法によって衛星信号の受信が禁止されていることより、この設定を機内モードとも呼ぶ。使用者はＡボタン６１を操作し、指針９１が示す先を移動させて受信禁止表示９５（機内モード）を選択することで、電子時計１０に衛星信号の受信を停止させることができる。
【００５１】
受信モード表示９６は、第３小時計９０の外周において、１０時方向から１２時方向までの範囲に設けられている。受信モード表示９６には、「１」および「４＋」の数字と、記号とが表記されており、これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１は、「１」または「４＋」のいずれかを指し示し、電子時計１０が直前に受信した衛星信号の受信モードを表す。
【００５２】
なお、Ａボタン６１、Ｂボタン６２、Ｃボタン６３、Ｄボタン６４、リュウズ５０を用いた操作は一例であり、説明と異なる入力装置を使用して操作させてもよい。
【００５３】
次にカレンダー表示１５の表示機能について説明する。
カレンダー表示１５は、文字板１１を矩形状に開口した開口部に設けられており、開口部から数字が視認可能となっている。この数字は、年月日の「日」を表す。
【００５４】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間（時差）のタイムゾーンに属している。各タイムゾーンで使用されている標準時は、ＵＴＣと、ＵＴＣとの時差とで求めることができる。
【００５５】
次に、ダイヤルリング４０とベゼル３２とに設けられているタイムゾーン表示４６について説明する。タイムゾーン表示４６とは、ダイヤルリング４０に表記されている時差表示４５と、ベゼル３２に表記されている都市表示３５と、の総称である。
表面側からの平面視において、ダイヤルリング４０には、時差の基準となる協定世界時を示す「ＵＴＣ」の英字と、タイムゾーンで使用されている標準時とＵＴＣとの時差を表す数値または記号とを表記した時差表示４５が設けられている。
指針２１，２２，２３で指し示された現地時刻と、ＵＴＣとの時差は、リュウズ５０を一段目５０ｂの操作位置に引き出すことにより指針２１の指し示す時差表示４５で確認することができる。なお、本実施形態では、世界協定時は「ＵＴＣ」の英字で表記し、標準時とＵＴＣとの時差は整数および「・」の記号で表記しているが、他の英数字、または記号を用いて表現してもよい。
【００５６】
ベゼル３２には、ダイヤルリング４０に表記されている時差に対応したタイムゾーンの代表都市名を表すコードを表記した都市表示３５が設けられている。本実施形態では、代表都市名に三文字の英字で略したスリーレターコードが使用されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」は北京、「ＴＹＯ」は東京、「ＡＤＬ」はアデレード、「ＳＹＤ」はシドニー、「ＮＯＵ」ネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差表示４５の数字「９」より、東京はＵＴＣ＋９時間の標準時を使用していることを容易に判断することができる。
なお、本実施形態では、表示スペースの制約と視認性の向上との為、一部の時差表示４５の時差に対応する代表都市名の表記が省略されている。また、代表都市名の表記方法は一例であり、他の方法で表記してもよい。
【００５７】
指針２１，２２，２３で表示された現地時刻（内部時刻）のタイムゾーンは、リュウズ５０を一段目５０ｂの操作位置に引き出すことにより指針２１の指し示すタイムゾーン表示４６で確認することができる。例えば、指針２１がタイムゾーン表示４６の「ＴＹＯ」と「９」とを指し示すことにより、現在、使用者は東京を代表都市とする＋９時間のタイムゾーンに居ることがわかる。
【００５８】
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図２および図３に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００５９】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００６０】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信した衛星信号の相関判定を実行して航法メッセージを復調するＢＢ部（ベースバンド部）と、ＢＢ部で復調された航法メッセージからＧＰＳ時刻情報や軌道情報を取得して出力する情報取得部とを備えている。つまり、受信部１２２は、ＧＰＳ衛星８から送信される衛星信号を受信し、受信結果に基づいてＧＰＳ時刻情報と軌道情報とを出力する受信部として機能する。
【００６１】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６２】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６３】
情報取得部は、ＢＢ部で復調した航法メッセージからＧＰＳ時刻情報や軌道情報を取得する。航法メッセージには、プリアンブルデータおよびＨＯＷワードのＴＯＷ（Time of Week、「Ｚカウント」ともいう）、サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や軌道情報を取得することができる。
【００６４】
ＲＡＭ１５４とＲＯＭ１５５とは、電子時計１０の記憶部である。
ＲＯＭ１５５には、ＣＰＵ１５３に実行されるプログラムやタイムゾーン情報などが記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００６５】
タイムゾーンの自動設定において、ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報と、に基づいて現在地のタイムゾーンをＲＡＭ１５４に設定（自動設定）し、内部時刻を修正する。ＣＰＵ１５３は、内部時刻が示されるように、駆動機構１４０の駆動制御を行う。これにより、電子時計１０には、指針２１，２２，２３（図５参照）で指し示される時刻表示により内部時刻が示される。
【００６６】
タイムゾーンの手動設定において、ＣＰＵ１５３は、入力装置１５７（リュウズ５０）の入力信号を検知してタイムゾーンを選択する。選択されたタイムゾーンをＲＡＭ１５４に設定（手動設定）し、内部時刻を修正する。ＣＰＵ１５３は、内部時刻が示されるように、駆動機構１４０の駆動制御を行う。これにより、電子時計１０には、指針２１，２２，２３（図５参照）で指し示される時刻表示により内部時刻が示される。
【００６７】
次に、電子時計１０の手動設定の動作について説明する。図７は、電子時計１０のタイムゾーンの手動設定の流れを示すフローチャートである。
【００６８】
まず、ステップＳ１では、ＣＰＵ１５３は、リュウズ５０が一段目５０ｂの操作位置に引かれたかを判断する。一段目の操作位置に引かれた場合（Ｓ１：Ｙｅｓ）にはステップＳ２へ進む。一段目５０ｂの操作位置に引かれなかった場合（Ｓ１：Ｎｏ）にはステップＳ１０へ進む。
【００６９】
ステップＳ２では、電子時計１０に設定されているタイムゾーンを表示する。ＣＰＵ１５３は、リュウズ５０が一段目５０ｂの操作位置に引かれた入力信号を検知して、駆動機構１４０（図４参照）を駆動することにより、指針２１（図５参照）がＲＡＭ１５４に設定されているタイムゾーンに対応したタイムゾーン表示４６（図５参照）を指し示す。
【００７０】
ステップＳ３では、ＣＰＵ１５３は、リュウズ５０が回動操作されたかを判断する。回動操作された場合（Ｓ３：Ｙｅｓ）にはステップＳ４へ進む。回動操作されなかった場合（Ｓ３：Ｎｏ）にはステップＳ９へ進む。
【００７１】
ステップＳ４では、ＣＰＵ１５３は、指針２１の移動を行う。ＣＰＵ１５３は、リュウズ５０の右回りの回動操作の入力信号を検知して、駆動機構１４０（図４参照）を駆動することにより、指針２１を右回りに駆動させる。また、ＣＰＵ１５３は、リュウズ５０の左回りの回動操作の入力信号を検知して、駆動機構１４０（図４参照）を駆動することにより、指針２１を左回りに駆動させる。具体的には、使用者が、リュウズ５０を回動させて、指針２１の指す先を手動設定させたい任意のタイムゾーンに向けて移動させる。なお、リュウズ５０の回動方向と指針２１の回動方向との関係は一例であり、これに限定されるものではない。
【００７２】
ステップＳ５では、ＣＰＵ１５３は、リュウズ５０の回動操作が停止されたかを判断する。回動操作が停止された場合（Ｓ５：Ｙｅｓ）にはステップＳ６へ進む。回動操作が停止されなかった場合（Ｓ５：Ｎｏ）にはステップＳ４へ戻る。
【００７３】
ステップＳ６では、ＣＰＵ１５３は、タイムゾーンの選択を行う。ＣＰＵ１５３はリュウズ５０の回動操作の入力信号が途絶えたら、駆動機構１４０（図４参照）の駆動を停止することにより、指針２１の移動を停止させる。そして、ＣＰＵ１５３は、停止した指針２１の指し示すタイムゾーンを手動設定させる任意のタイムゾーンとして選択する。具体的には、使用者が、リュウズ５０を回動させて指針２１を移動させ、指針２１が手動設定させたい任意のタイムゾーンを指し示したらリュウズの回動を止める。
【００７４】
ステップＳ７では、ＣＰＵ１５３は、タイムゾーンを手動設定する。ＣＰＵ１５３は、ステップＳ６で選択した任意のタイムゾーンをＲＡＭ１５４に設定する。なお、この動作は、使用者がリュウズ５０を操作してタイムゾーン表示４６（図５参照）から任意のタイムゾーンを選択することより、タイムゾーンの手動設定という。
【００７５】
ステップＳ８では、ＣＰＵ１５３は、手動設定されたタイムゾーンによって内部時刻の変更を行う。
【００７６】
ステップＳ９では、ＣＰＵ１５３は、リュウズ５０が０段目５０ａに戻されたかを判断する。戻された場合（Ｓ９：Ｙｅｓ）にはステップＳ１０へ進む。戻されなかった場合（Ｓ９：Ｎｏ）にはステップＳ２へ戻る。
【００７７】
ステップＳ１０では、ＣＰＵ１５３は、リュウズ５０が０段目５０ａに戻された入力信号を検知し、駆動機構１４０（図４参照）を駆動して内部時刻を表示する。
【００７８】
本実施形態の電子時計１０は、一つの入力装置（リュウズ５０）で任意のタイムゾーンを選択することができる。また、リュウズ５０の回動方向とタイムゾーンを選択するための指針２１の移動方向と、が同じなので、直観的な操作が可能である。さらに、リュウズ５０は防水性が高く、タイムゾーンの選択操作による湿気の侵入を防ぐことができるので、電子時計１０の信頼性を向上させることができる。
【００７９】
また、本実施形態では、衛星信号としてＧＰＳ衛星８から送信される電波を用いるものとして説明したが、これに限定するのもではない。例えば、ガリレオ（Galileo）、ＧＬＯＮＡＳＳ（Global Navigation Satellite System）などの全地球航法衛星システム（ＧＮＳＳ：Global Navigation Satellite System）の衛星信号（電波）を使用することができる。
【００８０】
以上述べたように、本実施形態に係る電子時計１０によれば、以下の効果を得ることができる。
電子時計１０は、表示された時刻のタイムゾーンが示されるタイムゾーン表示４６を備えている。電子時計１０は、衛星信号８を受信して現在地の位置情報と時刻情報とを算出し、現在地のタイムゾーンを自動設定して現地時刻を表示する機能と、タイムゾーン表示４６から選択された任意のタイムゾーンを手動設定して、設定されたタイムゾーンの現地時刻を表示する機能と、を備えている。電子時計１０には、一段目５０ｂおよび二段目５０ｃの操作位置と、回動させて入力操作を行うための回動操作と、を備えたリュウズ５０が設けられている。タイムゾーン表示４６に示されるタイムゾーンは、一段目５０ｂの操作位置に引き出されたリュウズ５０の回動操作に応じて指針２１で指し示される。手動設定させる任意のタイムゾーンは、タイムゾーン表示４６に示されているタイムゾーンがリュウズ５０の回動操作の停止により選択される。これにより、簡単な入力操作でタイムゾーンを手動設定させることができる。したがって、簡単で分かり易い入力操作でタイムゾーンを手動設定させることが可能な電子時計を提供することができる。
【００８１】
なお、任意のタイムゾーンの選択と設定とは、リュウズ５０が一段目５０ｂの操作位置で行われるものと説明したが、これに限定されるものではない。リュウズ５０が二段目５０ｃの操作位置で行われるようにしてもよい。リュウズが、さらに多い段数の操作位置を備え、任意の段の操作位置で行われるようにしてもよい。
【００８２】
また、本発明は上述した実施形態に限定されず、上述した実施形態に種々の変更や改良などを加えることが可能である。変形例を以下に述べる。
【００８３】
（変形例）
図８は、変形例に係る電子時計の外観を示す概略平面図である。
上記実施形態では、任意のタイムゾーンは、リュウズ５０の回動操作により選択されるものと説明したが、この構成に限定するものではない。
以下、変形例に係る電子時計２００について説明する。なお、実施形態と同一の構成部位については、同一の符号を附し、重複する説明は省略する。
【００８４】
図８に示すように、リュウズ２５０には、リュウズ２５０を押して入力操作を行うためのボタン操作が備えられている。リュウズ２５０がボタン操作されることにより、リュウズ２５０のボタン操作に応じた入力信号が出力される。なお、リュウズ２５０ａは定位置を示し、リュウズ２５０ｂは入力操作された状態を示す。
【００８５】
次に、電子時計２００の手動設定の動作について説明する。図９は、電子時計２００のタイムゾーンの手動設定の流れを示すフローチャートである。
【００８６】
まず、ステップＳ１１では、ＣＰＵ１５３は、リュウズ２５０が３秒間ボタン操作されたかを判断する。３秒間ボタン操作された場合（Ｓ１１：Ｙｅｓ）にはステップＳ２へ進む。３秒間押ボタン操作されなかった場合（Ｓ１１：Ｎｏ）にはステップＳ２０へ進む。
【００８７】
ステップＳ１２では、電子時計２００に設定されているタイムゾーンを表示する。ＣＰＵ１５３は、リュウズ２５０が３秒間ボタン操作された入力信号を検知して、駆動機構１４０（図４参照）を駆動することにより、指針２１（図８参照）がＲＡＭ１５４に設定されているタイムゾーンに対応したタイムゾーン表示４６（図８参照）を指し示す。
【００８８】
ステップＳ１３では、ＣＰＵ１５３は、リュウズ２５０がボタン操作されたかを判断する。ボタン操作された場合（Ｓ１３：Ｙｅｓ）にはステップＳ１４へ進む。ボタン操作されなかった場合（Ｓ１３：Ｎｏ）にはステップＳ１９へ進む。
【００８９】
ステップＳ１４では、ＣＰＵ１５３は、指針２１の移動を行う。ＣＰＵ１５３は、リュウズ２５０のボタン操作の入力信号を検知して、駆動機構１４０（図４参照）を駆動することにより、指針２１を駆動させて、指針２１の指し示す先を、隣に表示されているタイムゾーンに移動する。
【００９０】
ステップＳ１５では、ＣＰＵ１５３は、リュウズ２５０がボタン操作されたかを判断する。ボタン操作された場合（Ｓ１５：Ｙｅｓ）にはステップＳ１４へ戻る。ボタン操作されなかった場合（Ｓ１５：Ｎｏ）にはステップＳ１６へ進む。具体的には、使用者が、リュウズ２５０を必要回数押して、指針２１の指す先を手動設定させたい任意のタイムゾーンに移動させる。
【００９１】
ステップＳ１６では、ＣＰＵ１５３は、タイムゾーンの選択を行う。ＣＰＵ１５３は、指針２１の指し示しているタイムゾーンを手動設定させる任意のタイムゾーンとして選択する。
【００９２】
ステップＳ１７では、ＣＰＵ１５３は、タイムゾーンを手動設定する。ＣＰＵ１５３は、ステップＳ１６で選択した任意のタイムゾーンをＲＡＭ１５４に設定する。なお、この動作は、使用者がリュウズ２５０を操作してタイムゾーン表示４６（図８参照）から任意のタイムゾーンを選択することより、タイムゾーンの手動設定という。
【００９３】
ステップＳ１８では、ＣＰＵ１５３は、手動設定されたタイムゾーンに基づいて内部時刻の変更を行う。
【００９４】
ステップＳ１９では、ＣＰＵ１５３は、リュウズ２５０が３秒間ボタン操作されたかを判断する。３秒間ボタン操作された場合（Ｓ１９：Ｙｅｓ）にはステップＳ２０へ進む。３秒間ボタン操作されなかった場合（Ｓ１９：Ｎｏ）にはステップＳ１２へ戻る。
【００９５】
ステップＳ２０では、ＣＰＵ１５３は、リュウズ２５０が３秒間ボタン操作された入力信号を検知し、駆動機構１４０（図４参照）を駆動して内部時刻を表示する。
【００９６】
以上述べたように、本変形例に係る電子時計２００によれば、以下の効果を得ることができる。
リュウズ２５０には、リュウズ２５０を押して入力操作を行うためのボタン操作が備えられている。手動設定させる任意のタイムゾーンは、タイムゾーン表示４６に示されているタイムゾーンからリュウズ２５０のボタン操作に応じて指針２１で指し示され、選択される。したがって、簡単で分かり易い入力操作でタイムゾーンを手動設定させることが可能な電子時計２００を提供することができる。
【符号の説明】
【００９７】
８…ＧＰＳ衛星、１０，２００…電子時計、１１…文字板、１５…カレンダー表示、２１，２２，２３，７１，８１，９１…指針、２４…時刻分表示、２５…指針軸、３０…外装ケース、３１…ケース、３２…ベゼル、３３…カバーガラス、３４…裏蓋、３５…都市表示、４０…ダイヤルリング、４５…時差表示、４６…タイムゾーン表示、５０，２５０…リュウズ、６１…Ａボタン、６２…Ｂボタン、６３…Ｃボタン、６４…Ｄボタン、７０…第１小時計、７２…積算分表示、８０…第２小時計、８２…衛星捕捉数表示、８３…受信結果表示、８４…時刻秒表示、９０…第３小時計、９２…積算時表示、９３…サマータイム表示、９４…充電量表示、９５…受信禁止表示、９６…受信モード表示、１１０…アンテナ体、１２０…回路基板、１２２…受信部、１２５…地板、１３０…二次電池、１３５…ソーラーパネル、１４０…駆動機構、１５０…制御部、１５３…ＣＰＵ、１５４…ＲＡＭ、１５５…ＲＯＭ、１５７…入力装置、１５９…データバス。
【図１】
2015169500.tif 000003
【図２】
2015169500.tif 000004
【図３】
2015169500.tif 000005
【図４】
2015169500.tif 000006
【図５】
2015169500.tif 000007
【図６】
2015169500.tif 000008
【図７】
2015169500.tif 000009
【図８】
2015169500.tif 000010
【図９】
2015169500.tif 000011